(57)【要約】【課題】本発明は、塵埃を排出する際に塵埃排出蓋が開き易く、塵埃の残留が生じ難く、集塵ケースの塵埃捨てが容易にできる使い勝手の良い電気掃除機を提供することを目的とする。【解決手段】本発明は、電動送風機を有する掃除機本体と、前記掃除機本体に着脱自在なる集塵ケースと、前記集塵ケースに回動自在に支持され、集塵ケースの内側に形成された集塵室に出入自在する塵埃収容器と、前記集塵ケースに回動自在に支持され、前記塵埃収容器の出入動作を操作し、かつ塵埃収容器の塵埃排出口を開閉する塵埃排出蓋を有し、前記塵埃収容器が出入する容器出入口を前記集塵ケースの底面側に設け、前記容器出入口を開閉する塵埃排出蓋が下方に開くように回動自在に支持されていることを特徴とする。【選択図】図１
2008125607.tif 000002
【特許請求の範囲】
【請求項１】
電動送風機を有する掃除機本体と、前記掃除機本体に着脱自在なる集塵ケースと、前記集塵ケースに回動自在に支持され、集塵ケースの内側に形成された集塵室に出入自在する塵埃収容器と、前記集塵ケースに回動自在に支持され、前記塵埃収容器の出入動作を操作し、かつ塵埃収容器の塵埃排出口を開閉する塵埃排出蓋を有し、
前記塵埃収容器が出入する容器出入口を前記集塵ケースの底面側に設け、
前記容器出入口を開閉する塵埃排出蓋は、下方に開くように回動自在に支持されていることを特徴とする電気掃除機。
【請求項２】
請求項１記載の電気掃除機において、
前記塵埃収容器は、前記塵埃排出口が下側に設けられ、上側および周囲に網目フィルターを有することを特徴とする電気掃除機。
【請求項３】
請求項１記載の電気掃除機において、
前記塵埃収容器は、前記塵埃排出口が下側に設けられ、上側に向かって窄まる形状を有することを特徴とする電気掃除機。
【請求項４】
請求項１記載の電気掃除機において、
前記塵埃収容器は、合わせ部分が縦になる複数に分割された塵埃収容器ブロックと、前記塵埃排出口が拡大・縮小するように前記塵埃収容器ブロックの上側を回動自在に連結するブロックヒンジを有することを特徴とする電気掃除機。
【請求項５】
請求項４記載の電気掃除機において、
前記塵埃収容器ブロックの一つを前記集塵ケースに回動自在に支持する塵埃収容器ヒンジを有することを特徴とする電気掃除機。
【請求項６】
請求項２記載の電気掃除機において、
前記集塵ケースは、前側に設けられ、塵埃が流入する塵埃流入口と、後側に
設けられ、前記網目フィルターの通気孔より小さい通気孔の波形濾過フィルターを有することを特徴とする電気掃除機。
【発明の詳細な説明】
【技術分野】
【０００１】
本発明は、集塵ケースに溜まった塵埃の排出が簡単にできる電気掃除機に関するものである。
【背景技術】
【０００２】
集塵ケースから塵埃を簡単に排出するよう考案された電気掃除機は、例えば特開２００５−１５２３８８号公報（特許文献１）に記載されている。
【０００３】
特許文献１に示される電気掃除機は、集塵ケース（集塵容器）に備えた塵埃排出蓋の開放動作に連動して集塵ケースに堆積した塵埃を掻き出す掻き出し部材が塵埃排出蓋と一体的に設けられている。
【０００４】
【特許文献１】特開２００５−１５２３８８号公報
【発明の開示】
【発明が解決しようとする課題】
【０００５】
特許文献１に示す電気掃除機は、集塵ケースに備えた塵埃排出蓋の開放動作に連動して掻き出す掻き出し部材が塵埃排出蓋と一体的に設けられているが、塵埃が集塵ケース内部で圧縮されると、塵埃排出蓋が開きにくくなる問題があった。
【０００６】
また、塵埃排出蓋と掻き出し部材が一体的に設けられているので、塵埃排出蓋と掻き出し部材の間に堆積した塵埃が塵埃排出蓋開放後も塵埃排出蓋に残留する問題があった。
【０００７】
本発明は上記従来の課題を解決しようとするもので、塵埃を排出する際に塵埃排出蓋が開き易く、塵埃の残留が生じ難く、集塵ケースの塵埃捨てが容易にできる使い勝手の良い電気掃除機を提供することを目的としている。
【課題を解決するための手段】
【０００８】
本発明は、電動送風機を有する掃除機本体と、前記掃除機本体に着脱自在なる集塵ケースと、前記集塵ケースに回動自在に支持され、集塵ケースの内側に形成された集塵室に出入自在する塵埃収容器と、前記集塵ケースに回動自在に支持され、前記塵埃収容器の出入動作を操作し、かつ塵埃収容器の塵埃排出口を開閉する塵埃排出蓋を有し、前記塵埃収容器が出入する容器出入口を前記集塵ケースの底面側に設け、前記容器出入口を開閉する塵埃排出蓋が下方に開くように回動自在に支持されていることを特徴とする。
【発明の効果】
【０００９】
本発明によれば、塵埃を排出する際に塵埃排出蓋が開き易く、塵埃の残留が生じ難く、集塵ケースの塵埃捨てが容易にできる使い勝手の良い電気掃除機を提供することができる。
【発明を実施するための最良の形態】
【００１０】
本発明の実施例について、図面を引用して説明する。
【００１１】
まず、本発明の実施形態の一例に係る電気掃除機の全体外観を示す図２に沿って説明する。
【００１２】
掃除機本体２０４は、電動送風機（図示せず）とコードリール（図示せず）を内蔵する。前記電動送風機を駆動した際の吸引力により、吸口２０１から含塵空気を吸い込み、吸い込んだ含塵空気を延長管２０２とホース２０３を介して掃除機本体２０４に吸い込ませ、後述する集塵ケース３０１で塵埃を捕塵（集塵）した後に空気を掃除機本体外に排気する。
【００１３】
図３は本発明の実施形態の一例に係る掃除機本体２０４の外観図である。
【００１４】
掃除機本体２０４は、図３に示すように、下本体ケース２０６と上蓋３０２の間に配置した上本体ケース２０７の凹部に形成した集塵ケース収容部２０５を有する。
【００１５】
集塵ケース３０１は、集塵ケース収容部２０５に着脱可能に装着される。集塵部２０５を覆うように開閉自在な上蓋３０２を設けている。
【００１６】
なお、上蓋３０２は、上本体ケース２０７の上側後部に転回自在に取り付けている。集塵ケース３０１の出し入れは、図３に示すように上蓋３０２を開いて行う。電気掃除機の運転中には、上蓋３０２は閉じられている。
【００１７】
掃除機を運転すると、掃除機本体２０４に搬送された含塵空気は、集塵ケース収容部２０５内に置かれた集塵ケース３０１に流入し、分離されて塵埃が収容される。
【００１８】
図４は本発明の実施形態の一例に係る集塵ケース３０１の外観図である。
【００１９】
集塵ケース３０１には、含塵空気が入ってくる入口４０２を設けている。集塵ケース３０１は、集塵ケース３０１の内部に堆積した塵埃を排出する塵埃排出蓋１０１を備えている。
【００２０】
集塵ケース３０１は、ハンドル４０１を有する。集塵ケース３０１を掃除機本体２０４から取り出すときは、ハンドル４０１を保持して取り出す構造になっている。
【００２１】
図６は本発明の実施形態の一例に係る集塵ケース３０１の断面図である。
【００２２】
集塵ケース３０１には、堆積した塵埃を廃棄するための塵埃排出蓋１０１、および吸引した塵埃を収容する塵埃収容器７００を設けている。塵埃収容器７００は、分割されている塵埃収容器ブロック１０２，１０３を有する。
【００２３】
また、集塵ケース３０１は、微細塵埃を濾過する波形の濾過フィルター１０４を備えている。この波形濾過フィルター１０４の通気孔は、塵埃収容器７００に張られている網目フィルターの通気孔よりも小さい。
【００２４】
掃除機を運転すると、集塵ケース３０１の入口４０２から塵埃が吸引され、塵埃収容器７００に堆積する。塵埃収容器７００は粗塵埃を捕集する。塵埃収容器７００の網目フィルターを通過した微細塵埃を含む空気は、微細塵埃を濾過する波形の濾過フィルター１０４によって濾過され、空気だけが電動送風機へと流入していく。
【００２５】
次に本発明の主要部である塵埃収容器について、図５〜図７および図１を加えて更に詳しく説明する。
【００２６】
塵埃収容器７００は、集塵ケース３０１の内側に形成された集塵室に出入自在である。集塵ケース３０１は、底面側に容器出口８００を有する。この容器出口８００より塵埃収容器７００は、集塵ケース３０１に出入する。
【００２７】
塵埃排出蓋１０１は、集塵ケース３０１の前側に排出蓋用ヒンジ７１０で回動自在に支持されている。集塵ケース３０１の内部に堆積した塵埃を廃棄するときには、ハンドル４０１を保持して、塵埃排出蓋１０１を略底面側へ開放して廃棄する構造である。
【００２８】
塵埃収容器７００は、塵埃収容器ブロック１０２，１０３の上側を回動自在に支持するブロックヒンジ７２０を有する。縦方向に分割された合わせ部分を有する塵埃収容器７００は、下側に塵埃排出口を有し、上側に向かって窄まる形状を有する。
【００２９】
塵埃収容器７００の網目フィルターは、上側および周囲に設けられる。この塵埃収容器７００は、塵埃収容器ブロック１０２の下側が塵埃収容器ヒンジ７３０により集塵ケース３０１の前側下部に回動自在に支持されている。
【００３０】
塵埃の排出に際し、塵埃排出蓋１０１を略底面側へ開放すると同時に、塵埃収容室１０２，１０３が、集塵ケースから略底面方向に分割されて、飛び出す。
【００３１】
このため、塵埃収容器ブロック１０２，１０３の内部に堆積した塵埃が例え圧縮されていても、塵埃収容器７００が分割するので塵埃の圧縮が緩和されスムーズに排出することができる。
【００３２】
また、塵埃排出蓋１０１と塵埃収容器ブロック１０２，１０３の形状が簡素化した形状で構成できるため、塵埃が、集塵ケース３０１の内部に引っ掛かることがなく、簡単にごみすてすることが可能である。
【００３３】
特に、下側に塵埃排出口を有し、上側に向かって窄まる形状を塵埃収容器７００は、塵埃を捨てる際に、下向きの塵埃排出口が大きく開くので塵埃がよりスムーズに排出される。
【００３４】
塵埃収容器７００の塵埃収容器ブロック１０２は、横向きの塵埃導入筒部７４０を有する。この塵埃導入筒部７４０の口端が、集塵ケース３０１に設けられた入口４０２の内端側に設けた口端用の気密パッキング８１０に着脱自在に当接する。
【００３５】
この気密パッキング８１０で良く気密が保たれるので、吸塵される塵埃は塵埃収容器７００を径由して集塵ケース３０１の集塵室に流れる。このため、粗塵が塵埃収容器７００に集塵され、細塵が濾過フィリター１０４に溜まるように分られた集塵が行なわれる。
【００３６】
塵埃収容器７００に溜まる粗塵は特に圧縮されて堆積されるが、下向きの塵埃排出口が大きく開くので、残らず排出される。
【図面の簡単な説明】
【００３７】
【図１】本発明の実施形態の一例に係る集塵ケースの縦断面図で塵埃を捨てる状態を示している。
【図２】本発明の実施形態の一例に係る電気掃除機の全体外観図である。
【図３】本発明の実施形態の一例に係る掃除機本体の外観図である。
【図４】本発明の実施形態の一例に係る集塵ケースの外観図である。
【図５】本発明の実施形態の一例に係る集塵ケースの外観図で塵埃を捨てる状態を示している。
【図６】本発明の実施形態の一例に係る集塵ケースの縦断面図である。
【図７】本発明の実施形態の一例に係る塵埃収容器の外観図である。
【符号の説明】
【００３８】
１０１…塵埃排出蓋、７００…塵埃収容器、１０２，１０３…塵埃収容器ブロック、１０４…濾過フィルター、２０１…吸口、２０２…延長管、２０３…ホース、２０４…掃除機本体、２０５…集塵ケース収容部、２０６…下本体ケース、２０７…上本体ケース、３０１…集塵ケース、３０２…上蓋、４０１…ハンドル、４０２…入口、８００…容器出口、７４０…塵埃導入筒部、７１０…排出蓋用ヒンジ、７２０…ブロックヒンジ、７３０…塵埃収容器ヒンジ。
【図１】
2008125607.tif 000003
【図２】
2008125607.tif 000004
【図３】
2008125607.tif 000005
【図４】
2008125607.tif 000006
【図５】
2008125607.tif 000007
【図６】
2008125607.tif 000008
【図７】
2008125607.tif 000009